(57)【特許請求の範囲】
【請求項１】
第１から第（Ｎ−１）折り畳み予定線によって区画された第１から第Ｎ用紙部を備え（Ｎは４以上の整数）、
前記第１用紙部から前記第３用紙部は、Ｚ折りされて、前記第１用紙部の表面と前記第３用紙部の裏面が、封筒部の外面になり、
前記第４用紙部から前記第Ｎ用紙部は、表面が内包されるように谷折りされて、前記第２用紙部と前記第３用紙部の表面の間に折り込まれ、
前記各用紙部は、所定の位置に接着領域を有する
ことを特徴とするメールフォーム。
【請求項２】
請求項１に記載のメールフォームにおいて、
前記第１用紙部は、表面に宛名情報表示領域を有し、
前記第２用紙部から前記第Ｎ用紙部は、表面に個人隠蔽情報表示領域を有することを特徴とするメールフォーム。
【請求項３】
請求項１又は請求項２に記載のメールフォームにおいて、
前記各用紙部は、開封時に切断する切り離し予定線及び開封予定線を備える用紙部である
ことを特徴とするメールフォーム。
【請求項４】
第１から第（Ｎ−１）折り畳み予定線によって区画された第１から第Ｎ用紙部を備えたメールフォーム（Ｎは４以上の整数）を使用するメール作製方法であって、
前記第Ｎ用紙部から前記第３用紙部までをその順番に表面が内包するように、繰り返し谷折りして、前記第４用紙部の裏面を前記第２用紙部の表面に重ね、
続いて、前記第２用紙部の裏面が前記第１用紙部の裏面に重なるように、前記第２用紙部を山折りする
ことを特徴とするメール作製方法。
【発明の詳細な説明】
【０００１】
【発明の属する技術分野】
本発明は、個人の情報を印字した後、その個人の情報を隠蔽して送付する封書等に用いられるメールフォーム及びそのメールフォームを使用したメール作製方法に関するものである。
【０００２】
【従来の技術】
従来より、この種のメールを作製する際は、表面にのみ、宛名等の受取人毎に異なる個人情報が印字されているメールフォームを使用して、メールを作製することが多い。
【０００３】
図６は、この種のメール作製方法の第１従来例を示す図であり、図７は、第２従来例を示す図である。
なお、図中、１Ａ，２Ａ，３Ａ，４Ａは、それぞれ第１用紙部から第４用紙部の表面を表し、１Ｂ，２Ｂ，３Ｂ，４Ｂは、それぞれ第１用紙部から第４用紙部の裏面を表している。
また、図６，図７は、一例として、４面からなるメールフォームを使用してメールを作製する方法を挙げているが、面数が増えても、同様である。
【０００４】
図６の第１従来例のメール作製方法は、メールフォーム７０の宛名等の受取人情報が印字されていない裏面を上にして（図（Ａ））、第４用紙部７１−４から第２用紙部７１−２までをその順番に表面が外に露出するように、第３用紙部の表面３Ａが第１用紙部の裏面１Ｂに重なるまで繰り返し谷折りを行う（図（Ｂ）〜（Ｄ））。
こうして作られたメール７は、第１用紙部の表面１Ａと第２用紙部の表面２Ａを封筒部の外面とし、第３用紙部７１−３と第４用紙部７１−４は、第１用紙部の裏面１Ｂと第２用紙部の裏面２Ｂとの間に折り込まれている。
【０００５】
図７の第２従来例のメール作製方法は、メールフォーム８０の宛名等の受取人情報が印字されていない裏面を上にして（図（Ａ））、メールフォーム８０の中央で、谷折りする（図（Ｂ））。このとき、第３用紙部の裏面３Ｂは、第２用紙部の裏面２Ｂに重なり、第４用紙部の裏面４Ｂは、第１用紙部の裏面１Ｂに重なる。
次に、その谷折りされたメールフォーム８０の中央で、さらに谷折りする（図（Ｃ））。このとき、第４用紙部の表面４Ａは、第３用紙部の表面３Ａに重なる。
こうして作られたメール８は、第１用紙部の表面１Ａと第２用紙部の表面２Ａを封筒部の外面とし、第３用紙部８１−３と第４用紙部８１−４は、第１用紙部の裏面１Ｂと第２用紙部の裏面２Ｂとの間に折り込まれている。
【０００６】
【発明が解決しようとする課題】
しかし、前述した従来のメール作製方法で作製されたメールは、４面ある受取人情報面のうち、２面が外側に露出するため、内側に隠蔽できる受取人情報面は残りの２面と少なかった。
すなわち、第１従来例、第２従来例のいずれの方法でメールを作製する場合でも、第１用紙部の表面１Ａと第２用紙部の表面２Ａが封筒部の外面となるので、従来は、第１用紙部の表面１Ａに受取人の宛名を印字し、第２用紙部の表面２Ａに他人に見られてもよい情報、例えば挨拶等を印字し、残りの第３用紙部の表面３Ａ、第４用紙部の表面４Ａに控除証明等の隠蔽情報を印字していた。そして、第１用紙部から第４用紙部の裏面１Ｂ，２Ｂ，３Ｂ，４Ｂには受取人によらない共通情報を印刷する。
このように、第２用紙部の表面２Ａには、秘匿性の高い情報は印字できず、受取人毎に異なる情報を印字することのメリットが少なかった。
【０００７】
本発明の課題は、隠蔽できる個人情報面を増やすことのできるメールフォーム及びメール作製方法を提供することである。
【０００８】
【課題を解決するための手段】
前記課題を解決するために、請求項１の発明は、第１から第（Ｎ−１）折り畳み予定線（１２−１〜１２−（Ｎ−１））によって区画された第１から第Ｎ用紙部（１１−１〜１１−Ｎ）を備え（Ｎは４以上の整数）、第１用紙部（１１−１）から第３用紙部（１１−３）は、Ｚ折りされて、第１用紙部（１１−１）の表面と第３用紙部（１１−３）の裏面が、封筒部の外面になり、第４用紙部（１１−４）から第Ｎ用紙部（１１−Ｎ）は、表面が内包されるように谷折りされて、第２用紙部（１１−２）と第３用紙部（１１−３）の表面の間に折り込まれ、前記各用紙部は、所定の位置に接着領域を有することを特徴とするメールフォームである。
【０００９】
請求項２の発明は、請求項１に記載のメールフォームにおいて、第１用紙部（１１−１）は、表面に宛名情報表示領域（ｅ）を有し、第２用紙部（１１−２）から第Ｎ用紙部（１１−Ｎ）は、表面に個人隠蔽情報表示領域（ｆ）を有することを特徴とするメールフォームである。
【００１０】
請求項３の発明は、請求項１又は請求項２に記載のメールフォームにおいて、前記各用紙部は、開封時に切断する切り離し予定線（ｂ）及び開封予定線（１３）を備える用紙部であることを特徴とするメールフォームである。
【００１１】
請求項４の発明は、第１から第（Ｎ−１）折り畳み予定線（１２−１〜１２−（Ｎ−１））によって区画された第１から第Ｎ用紙部（１１−１〜１１−Ｎ）を備えたメールフォーム（Ｎは４以上の整数）を使用するメール作製方法であって、第Ｎ用紙部（１１−Ｎ）から第３用紙部（１１−３）までをその順番に表面が内包するように、第４用紙部（１１−４）の裏面が第２用紙部（１１−２）の表面に重なるまで繰り返し谷折りし、続いて、第２用紙部（１１−２）の裏面が第１用紙部（１１−１）の裏面に重なるように、第２用紙部（１１−２）を山折りすることを特徴とするメール作製方法である。
【００１２】
【発明の実施の形態】
以下、図面等を参照して、本発明の実施の形態について、さらに詳しく説明する。
（第１実施形態）
図１は本発明によるメールフォームの第１実施形態を示す表面図、図２は裏面図である。また、図（Ａ）はＮが偶数のときの全体図、図（Ｂ）はＮが奇数のときの第Ｎ用紙部を示す図である。
【００１３】
メールフォーム１０は、折り畳まれてメール１になるメールフォームであり、第１用紙部１１−１から第Ｎ用紙部１１−ＮのＮ枚の用紙部を有している（Ｎは４以上の整数）。
メールフォーム１０は、天辺ａ１及び地辺ａ２のそれぞれに沿って形成された切り離し予定線ｂを有している。
この切り離し予定線ｂは、ミシン目で形成されているが、切り離し位置を指示する線が印刷されて形成されていてもよい。
【００１４】
また、メールフォーム１０は、表面に、天辺ａ１と切り離し予定線ｂとの間、及び地辺ａ２と切り離し予定線ｂとの間に形成された表面接着領域ｃを有している。
さらに、メールフォーム１０は、裏面に、天辺ａ１と切り離し予定線ｂとの間及び地辺ａ２と切り離し予定線ｂとの間に形成された裏面接着領域ｄを有している。
これらの接着領域ｃ，ｄは、メール完成後に、剥離不能に接着する接着領域であり、加圧、加熱又は水分若しくは溶剤の蒸発によって接着する接着剤が塗布される領域である。
【００１５】
メールフォーム１０の表面には、メール受取人の宛先や控除証明などの個人情報等が印字されている。
メールフォーム１０は、第１用紙部１１−１の表面に、受取人の宛名を表示する宛名情報表示領域ｅを有し、第２用紙部１１−２から第Ｎ用紙部１１−Ｎの表面に、受取人毎に異なる隠蔽情報を表示する個人隠蔽情報表示領域ｆを有している。
メールフォーム１０の裏面には、企業広告などのメール受取人によらない共通情報等が印刷されている。
【００１６】
第１用紙部１１−１は、メールフォーム１０の一端に位置している用紙部であり、第１折り畳み予定線１２−１を介して、第２用紙部１１−２に連接されている。
また、第１用紙部１１−１は、メール完成後、その表面が外側に露出するので、表面接着領域ｃを有していない。
【００１７】
第１用紙部１１−１は、第１折り畳み予定線１２−１に対向した辺に沿って形成された開封予定線１３−１を有している。
この開封予定線１３−１は、切り離し予定線ｂと同様に、ミシン目で形成されているが、切り離し位置を指示する線が印刷されて形成されていてもよい。
【００１８】
第１用紙部１１−１は、裏面に、第１折り畳み予定線１２−１に対向した辺と開封予定線１３−１との間に形成された裏面隠蔽接着領域１４−１を有している。
【００１９】
第２用紙部１１−２は、第１折り畳み予定線１２−１を介して、第１用紙部１１−１に連接されている用紙部であり、さらに、第２折り畳み予定線１２−２を介して、第３用紙部１１−３に連接されている。
【００２０】
第２用紙部１１−２は、第２折り畳み予定線１２−２に沿って形成された開封予定線１３−２を有している。
この開封予定線１３−２は、メール完成時に、第１用紙部１１−１の開封予定線１３−１に重なるように配置されている。
【００２１】
第２用紙部１１−２は、第１折り畳み予定線１２−１に沿って形成された第１接着領域１５−２を有している。
【００２２】
第２用紙部１１−２は、裏面に、第２折り畳み予定線１２−２と開封予定線１３−２との間に形成された裏面隠蔽接着領域１４−２を有している。
この裏面隠蔽接着領域１４−２は、メール完成時に、第１用紙部１１−１の裏面隠蔽接着領域１４−１と重なって、剥離不能に接着する。
【００２３】
第３用紙部１１−３は、第２折り畳み予定線１２−２を介して、第２用紙部１１−２に連接されている用紙部であり、さらに、第３折り畳み予定線１２−３を介して、第４用紙部１１−４に連接されている。
また、第３用紙部１１−３は、メール完成後、その裏面が外側に露出するので、裏面接着領域ｄを有していない。
【００２４】
第３用紙部１１−３は、第２折り畳み予定線１２−２に沿って形成された開封予定線１３−３を有している。
この開封予定線１３−３は、メール完成時に、第１用紙部１１−１の開封予定線１３−１に重なるように配置されている。
【００２５】
第ｍ用紙部１１−ｍは（ｍは４以上（Ｎ−１）以下の偶数）、第（ｍ−１）折り畳み予定線１２−（ｍ−１）を介して、第（ｍ−１）用紙部１１−（ｍ−１）に連接されている用紙部であり、さらに、第ｍ折り畳み予定線１２−ｍを介して、第（ｍ＋１）用紙部１１−（ｍ＋１）に連接されている。
【００２６】
第ｍ用紙部１１−ｍは、第ｍ折り畳み予定線１２−ｍに沿って形成された開封予定線１３−ｍを有している。
【００２７】
第ｍ用紙部１１−ｍは、表面に、第（ｍ−１）折り畳み予定線１２−（ｍ１）に沿って形成された第１接着領域１５−ｍを有している。
この第１接着領域１５−ｍは、メール完成時に、第（ｍ＋２）用紙部の第２接着領域１６−（ｍ＋２）と重なって、剥離不能に接着する。
【００２８】
第ｍ用紙部１１−ｍは、裏面に、第（ｍ−１）折り畳み予定線１２−（ｎ２−１）に沿って形成された第２接着領域１６−ｍを有している。
この第２接着領域１６−ｍは、メール完成時に、第（ｍ−２）用紙部の第１接着領域１５−（ｍ−２）と重なって、剥離不能に接着する。
【００２９】
第（ｍ＋１）用紙部１１−（ｍ＋１）も、第ｍ用紙部１１−ｍとほぼ同様の用紙部であるが、第１接着領域、第２接着領域を有していない。
【００３０】
第Ｎ用紙部１１−Ｎも、第ｍ用紙部１１−ｍとほぼ同様の用紙部であるが、以下の相違がある。また、Ｎが偶数か奇数かにより変わるため、以下、分けて説明する。
Ｎが偶数のときは、以下である（図１（Ａ），図２（Ａ））。
【００３１】
第Ｎ用紙部１１−Ｎは、第ｍ用紙部１１−ｍとほぼ同様の用紙部であるが、第１接着領域を有していない。
【００３２】
しかし、第２接着領域１６−Ｎは、第Ｎ用紙部１１−Ｎの裏面に、第（Ｎ−１）折り畳み予定線１２−（Ｎ−１）に沿って形成されている。
この第２接着領域１６−Ｎは、メール完成時に、第（Ｎ−２）用紙部の第１接着領域１５−（Ｎ−２）と重なって、剥離不能に接着する。
【００３３】
また、Ｎが奇数のときは、以下である（図１（Ｂ），図２（Ｂ））。
【００３４】
第Ｎ用紙部１１−Ｎは、第ｍ用紙部１１−ｍとほぼ同様の用紙部であるが、第２接着領域を有していない。
【００３５】
しかし、第１接着領域１５−Ｎは、第Ｎ用紙部１１−Ｎの表面に、第（Ｎ−１）折り畳み予定線１２−（Ｎ−１）に対向した辺に沿って形成されている。
この第１接着領域１５−Ｎは、メール完成時に、第（Ｎ−１）用紙部の第１接着領域１５−（Ｎ−１）と重なって、剥離不能に接着する。
【００３６】
（メール作製方法）
図３は、本発明によるメールフォーム（Ｎ＝６のとき）を使用して、メールを作製する方法を示す図である。図（Ａ）は表面図、図（Ｂ）は裏面図、図（Ｃ）〜図（Ｆ）はメール作製手順を示す図である。
なお、図中、１Ａ，２Ａ，３Ａ，４Ａ，５Ａ，６Ａは、それぞれ第１用紙部から第６用紙部の表面を表し、１Ｂ，２Ｂ，３Ｂ，４Ｂ，５Ｂ，６Ｂは、それぞれ第１用紙部から第６用紙部の裏面を表している。
【００３７】
メールフォーム１０を使用して、以下のようにメール１を作製する。
【００３８】
（１）図（Ａ）〜（Ｃ）に示すように、個人情報が印字されている表面を上にして、第６用紙部の表面６Ａが、第５用紙部の表面５Ａに重なるように、第５折り畳み予定線１２−５で谷折りする。
このとき、第６用紙部の切り離し予定線ｂが、第５用紙部の切り離し予定線ｂに重なり、第６用紙部の開封予定線１３−６が、第５用紙部の開封予定線１３−５に重なる。
また、第６用紙部の表面接着領域ｃが、第５用紙部の表面接着領域ｃに重なり、剥離不能に接着される。
【００３９】
（２）続いて、図（Ｃ）〜（Ｄ）に示すように、第６用紙部の裏面６Ｂが、第４用紙部の表面４Ａに重なるように、第４折り畳み予定線１２−４で谷折りする。
このとき、第６用紙部の切り離し予定線ｂが、第４用紙部の切り離し予定線ｂに重なり、第６用紙部の開封予定線１３−６が、第４用紙部の開封予定線１３−４に重なる。
また、第６用紙部の裏面接着領域ｄが、第４用紙部の表面接着領域ｃに重なり、剥離不能に接着される。
さらに、第６用紙部の第２接着領域１６−６が、第４用紙部の第１接着領域１５−４に重なり、剥離不能に接着される。
【００４０】
（３）以下、図（Ｄ）〜（Ｅ）に示すように、同様に第４用紙部の裏面４Ｂが、第２用紙部の表面２Ａに重なるまで繰り返す。
【００４１】
（４）最後に、図（Ｅ）〜（Ｆ）に示すように、第２用紙部の裏面２Ｂが、第１用紙部の裏面１Ｂに重なるように、第１折り畳み予定線１２−１で山折りする。
このとき、第２用紙部の切り離し予定線ｂが、第１用紙部の切り離し予定線ｂに重なり、第２用紙部の開封予定線１３−２が、第１用紙部の開封予定線１３−１に重なる。
また、第２用紙部の裏面接着領域ｄが第１用紙部の裏面接着領域ｄに重なり、剥離不能に接着される。
さらに、第２用紙部の裏面隠蔽接着領域１４−２が、第１用紙部の裏面隠蔽接着領域１４−１に重なり、剥離不能に接着される。
【００４２】
（５）以上で、メール１が完成する。
【００４３】
（使用方法）
図４は、本実施形態によるメールの使用状態を示す図である。
（１）上述のように、製造されたメール１を受け取った受取人は、図４（Ａ）〜（Ｂ）に示すように、メール１の切り離し予定線ｂ、開封予定線１３を切断して、メールを開封する。
（２）すると、メール１は、冊子状態になる。（図４（Ｃ））
（３）図４（Ｄ）〜（Ｈ）に示すように、受取人は、冊子状態のメール１を開いて、企業からの広告や自分宛の通知を見ることができる。
本発明の方法で製造されたメール１は、見開きの片面が受取人宛の情報、残りの片面が共通情報である頁が多く（図４（Ｅ）、（Ｆ）、（Ｈ））、その共通情報の頁に受取人宛の情報の見方等を印刷しておけば、受取人は、受取人宛の情報が理解しやすい。
【００４４】
本実施形態によれば、表面にのみ受取人宛の個人情報を印字するメールフォームであって、宛名の書いてある一面のみを外側に出し、残りの面の個人情報は、内側に隠蔽可能なメールフォームを提供できる。
また、このメールフォームは、個人情報や広告の量に合わせ、自由に面数を増やすことができる。
さらに、開封後は、冊子状態になり、見開きの片面に個人情報、残りの片面にその個人情報の見方などを印刷することができるので、受取人が、その個人情報について理解しやすい。
【００４５】
（第２実施形態）
図５は、本発明によるメールフォームの第２実施形態を示す正面図である。図（Ａ）は表面図、図（Ｂ）は裏面図である。
メールフォーム４０は、第１用紙部４１−１から第４用紙部４１−４の４枚の用紙部を有している。また、メールフォーム１０とは異なり、折り畳み予定線に沿って形成された開封予定線を有していない。
【００４６】
また、裏面隠蔽接着領域４４−１，４４−２、第１接着領域４５−２、第２接着領域４６−４は、剥離可能に接着する接着領域であり、例えば、特開平８−４８９５６公報で開示されている感圧接着剤を用いて形成することができる。
すなわち、天然ゴムラテックス等の接着主剤に、マイクロシリカ等の無機充填剤、コーンスターチ等の添加剤、γ−メルカプトプロピルトリメトキシシラン等のシランカップリング剤を一定割合で添加し、さらに必要に応じて、ポリビニルアルコール等のように、接着主剤と相溶性を有しない樹脂やその他の添加剤を添加して作製された接着剤を感圧接着剤として塗布し、剥離可能な接着領域を形成することができる。
【００４７】
第１用紙部４１−１は、第１折り畳み予定線４２−１に対向した辺に沿って形成されたマージナル部ｇを有している。
第４用紙部４１−４は、第３折り畳み予定線４２−３に対向した辺に沿って形成されたマージナル部ｇを有している。
これらのマージナル部ｇは、プリンターでメールフォーム４０の表面に個人情報を印字するときに使用される紙送り用の孔である。
【００４８】
このメールフォーム４０を使用して、メールフォーム１０からメール１を作製するのと同様の手順で、メール４を作製する。
すなわち、第３折り畳み予定線４２−３を谷折りして、第４用紙部の表面４Ａと第３用紙部の表面３Ａを合わせ、第２折り畳み予定線４２−２を谷折りして、第４用紙部の裏面４Ｂと第２用紙部の表面２Ａを合わせ、第１折り畳み予定線４２−１を山折りして、第２用紙部の裏面２Ｂと第１用紙部の裏面１Ｂを合わせて、メール４を作製する。
【００４９】
（使用方法）
このメールフォーム４０を用いて作製されたメール４は、以下のように使用する。
すなわち、切り離し予定線ｂを切断し、裏面隠蔽接着領域４４−１，４４−２、第１接着領域４５−２、第２接着領域４６−４を剥離して、メール４を開く。すると、一枚の大きなデータ面が現れるので、視覚的にもインパクトのある面になる。
【００５０】
本実施形態によれば、開封後、一枚の大きな用紙となるので、視覚的にもインパクトのある広告になるメールフォームが提供できる。
また、１８インチ幅の用紙を使用しても、定型封書（９×１４ｃｍ以上１２×２３．５ｃｍ以下）内に納めることができ、かつ、従来多く用いられていた１５インチ幅用紙でのメールよりも多くの広告内容を折り込むことが可能である。
【００５１】
（変形形態）
以上説明した実施形態に限定されることなく、種々の変形や変更が可能であって、それらも本発明の均等の範囲内である。
例えば、折り畳み予定線１２は、予め、ミシン目加工をしておいても、しておかなくてもよい。予め、ミシン目加工をしておけば、折り畳みが容易になる。また、予め、ミシン目加工をしておかなければ、ミシン目近辺の印字できない領域が無くなるため、印字領域が増える。
また、接着領域ｃ，ｄ，１４，１５，１６は、接着剤が塗布されている領域であっても、あるいは、後工程で接着剤を塗布するための糊代を指示する領域であってもよい。
【００５２】
【発明の効果】
以上詳しく説明したように、請求項１の発明によれば、表面のうちの一面のみを外側に出し、表面の他の面は内側に隠蔽可能なメールフォームを提供できる。
また、このメールフォームは、自由に面数を増やすことができる。
【００５３】
請求項２の発明によれば、表面にのみ受取人宛の個人情報を印字するメールフォームであって、宛名の書いてある一面のみを外側に出し、残りの個人情報の面は、内側に隠蔽可能なメールフォームを提供できる。
また、このメールフォームは、個人情報や広告の量に合わせ、自由に面数を増やすことができる。
【００５４】
請求項３の発明によれば、容易に開封でき、さらに、開封後は、冊子状態になり、見開きの片面に個人情報、残りの片面にその個人情報の見方などを印刷することができるので、受取人が、その個人情報について理解しやすい。
【００５５】
請求項４の発明によれば、表面のうちの一面のみを外側に出し、表面の他の面は内側に隠蔽可能なメール作製方法を提供できる。
【図面の簡単な説明】
【図１】本発明によるメールフォームの第１実施形態を示す表面図である。
【図２】本発明によるメールフォームの第１実施形態を示す裏面図である。
【図３】本発明によるメールフォーム（Ｎ＝６のとき）を使用して、メールを作製する方法を示す図である。
【図４】本実施形態によるメールの使用状態を示す図である。
【図５】本発明によるメールフォームの第２実施形態を示す正面図である。
【図６】メール作製方法の第１従来例を示す図である。
【図７】メール作製方法の第２従来例を示す図である。
【符号の説明】
１，４，７，８  メール
１０，４０，７０，８０  メールフォーム
１１，４１，７１，８１  用紙部
１２，４２  折り畳み予定線
１３  開封予定線
１４，４４  裏面隠蔽接着領域
１５，４５  第１接着領域
１６，４６  第２接着領域
ａ１  天辺
ａ２  地辺
ｂ  切り離し予定線
ｃ  表面接着領域
ｄ  裏面接着領域
ｅ  宛名情報表示部
ｆ  個人隠蔽情報表示部
ｇ  マージナル部
【図１】
0003868084.tif 000002
【図２】
0003868084.tif 000003
【図３】
0003868084.tif 000004
【図４】
0003868084.tif 000005
【図５】
0003868084.tif 000006
【図６】
0003868084.tif 000007
【図７】
0003868084.tif 000008